Podtech/llm-jp-corpus-v4-ja_patent huggingface dataset:
(57)【要約】      （修正有）【課題】湿気や臭気を効率的に除去し、ダニやカビの発生を抑制することが出来るマットレスを提供する。【解決手段】通気性を有する袋状のポケット５にコイルスプリング６を収容したポケットコイル４を、その圧縮方向と直交する方向へ、縦置き状態で多数並列せしめると共に、前記ポケット内のコイルスプリングの内径側下部に、粒状珪藻土７を充填してスプリングマットレスを構成した。【選択図】図３
0003174745.tif 000002
【実用新案登録請求の範囲】
【請求項１】
通気性を有する袋状のポケットにコイルスプリングを収容したポケットコイルを、その圧縮方向と直交する方向へ、縦置き状態で多数並列せしめると共に、前記ポケット内のコイルスプリングの内径側下部に、粒状珪藻土を充填したことを特徴とするスプリングマットレス。
【請求項２】
粒状珪藻土が稚内層珪藻頁岩を原料とするものであることを特徴とする請求項１記載のスプリングマットレス。
【考案の詳細な説明】
【技術分野】
【０００１】
この考案は、寝具、詳しくはベッドに敷くマットレスに関するものである。
【背景技術】
【０００２】
生活の洋風化に伴い、従来の布団に代わり、ベッドが大いに普及している。
【先行技術文献】
【特許文献】
【０００３】
【特許文献１】なし
【非特許文献】
【０００４】
【非特許文献１】なし
【考案の概要】
【考案が解決しようとする課題】
【０００５】
ベッドの場合、その上にマットレスを敷いて使用するのが普通であるが、マットレスは、布団の様に簡単に干すことが出来ないので、内部に湿気が篭もりやすく、不衛生になり、臭気を発生させたり、ダニやカビの温床になりやすかった。特に、梅雨時から夏にかけての高温多湿の時期においては、深刻な問題であり、何らかの対策が求められていたが、簡単で有効な手立てはなかなか見当たらないのが現状である。
【０００６】
本考案者は、マットレスに関する上記問題点を解決すべく、鋭意研究を行った結果、湿気や臭気を効率的に除去し、ダニやカビの発生を抑制することが出来るマットレスを開発することに成功し、本考案としてここに提案するものである。
【課題を解決するための手段】
【０００７】
通気性を有する袋状のポケットにコイルスプリングを収容したポケットコイルを、その圧縮方向と直交する方向へ、縦置き状態で多数並列せしめると共に、前記ポケット内のコイルスプリングの内径側下部に、粒状珪藻土を充填してスプリングマットレスを構成することにより、上記課題を解決した。
【考案の効果】
【０００８】
従来のスプリングマットレスと同様、ベッド上に敷いて使用に供するものであり、人体から放出される湿気は粒状珪藻土に吸収され、スプリングマットレス中の湿度を調整し、カビなどの細菌及びダニなどの微生物の発生を抑制すると共に、粒状珪藻土のすぐれた消臭機能により、体臭などの不快な臭いを効果的に除去する。又、粒状珪藻土を、その適量をポケット内に充填するだけなので、スプリングマットレス自体は従来から存在するものをそのまま用いることが出来、新たな設備投資をほとんど行う必要はなく、低コストで製造することが可能で、すぐれた実用性を有する。
【図面の簡単な説明】
【０００９】
【図１】この考案に係るスプリングマットレスの実施例１の一部を切欠いて描いた平面図。
【図２】同じく、一部を切欠いて描いた斜視図。
【図３】同じく、その要部であるポケットコイル部分の一部を切欠いて描いた拡大斜視図。
【考案を実施するための形態】
【００１０】
スプリングマットレスの主要構成要素であるポケットコイル内に、吸湿性及び消臭性にすぐれた粒状珪藻土の適量を充填した点に最大の特徴が存する。
【実施例】
【００１１】
図１はこの考案に係るスプリングマットレスの一実施例の一部を切欠いて描いた平面図。図２は同じく、斜視図。図３はその要部の拡大斜視図である。
【００１２】
図中１はマットレス本体であり、袋状をなした通気性を有する不織布製のポケット５にコイルスプリング６が収容されたポケットコイル４を、その圧縮方向と直交する方向へ縦置き状態で多数並列せしめ、その表裏に上面材２、下面材３をそれぞれ積層し、外周側面に側面材８を取付けたものである。
なお、上記構造は、従来から存在するポケットコイルを用いたスプリングマットレスと基本的に同一である。
【００１３】
そして、スプリングマットレスを構成しているポケットコイル４の３〜５個置きに、ポケット５内に収容されているコイルスプリング６の内径側の下部へ、珪藻土の原石を粒状に加工した粒状珪藻土７が、コイルスプリング６の高さのほぼ１／４の厚さになる様に充填されている。
【００１４】
なお、この実施例においては、粒状珪藻土７として、吸湿機能、消臭機能が特にすぐれた北海道稚内地方で採掘される稚内層珪藻頁岩を直径５乃至６ｍｍの粒状に加工したものを用いた。
【００１５】
ポケットコイル４への粒状珪藻土７の充填量は、厳密に規定されるものではないが、あまり多すぎても効果がなく、高さ１５０乃至１８０ｍｍで、直径６０ｍｍのコイルスプリング６を用いた一般的なポケットコイル４の場合、ポケットコイル３〜５個おきに、コイルスプリング６の底面から４０〜６０ｍｍの厚さになる様に粒状珪藻土７を７０乃至１００ｇ充填するのが好ましい。
【００１６】
この実施例は上記の通りの構成を有するものであり、従来のスプリングマットレスと同様、ベッド上に敷いて使用に供するものであり、
人体から放出される湿気は粒状珪藻土７に吸収され、スプリングマットレス中の湿度を調整し、カビなどの細菌及びダニなどの微生物の発生を抑制すると共に、粒状珪藻土のすぐれた消臭機能により、体臭などの不快な臭いを効果的に除去する。又、粒状珪藻土７を、その適量をポケット５内に充填するだけなので、スプリングマットレス自体は従来から存在するものをそのまま用いることが出来、新たな設備投資をほとんど行う必要はなく、低コストで製造することが可能である。
【産業上の利用可能性】
【００１７】
一般のベッド用マットレスだけではなく、医療用、介護用のマットレスについても利用可能である。
【符号の説明】
【００１８】
１．マットレス本体
２．上面材
３．下面材
４．ポケットコイル
５．ポケット
６．コイルスプリング
７．粒状珪藻土
８．側面材
【図１】
0003174745.tif 000003
【図２】
0003174745.tif 000004
【図３】
0003174745.tif 000005
(57)【要約】【課題】乳幼児や要介護者など、使用者が食事をする際、広範囲に及ぶ食べこぼし・取りこぼしによる洋服等の汚れを防ぐことができるようにする。【解決手段】よだれかけ本体の身頃部分のすそを延長し、椅子に腰掛けた際のゆとりを持たせ、食べこぼし等を受ける部分とする。下部はすそを裏側に折り返し、脇を結合し袋状にする。袋状になった部分にトレイを差し込み、よだれかけ部分を使用者の胸元に装着することで安定性が生まれる為、使用者がのけぞる等の少々の動きをしてもエプロンがずれることはなく、器がひっくり返る心配もない。トレイから胸元まで隙間がなくなるため、食べこぼしによる胸元・腹部・足元など、広範囲の洋服や床等の汚れを防ぐことができる。【選択図】図１
0003174741.tif 000002
【実用新案登録請求の範囲】
【請求項１】
よだれかけ本体の身頃部分の下部を延長し、すそ部分を裏側に折り返し、脇を結合して袋状にし、袋状部分にトレイ付きチェアーのトレイ部または平板状のトレイを差し込み、トレイと一体化出来るようにした事を特徴とする食事用エプロン。
【請求項２】
前記袋状部分に前記トレイ部またはトレイを差し込んだ時に前記身頃部分の略中央に前記トレイ部またはトレイの位置より下方に垂れ下がるゆとり部を設けた事を特徴とする、請求項１に記載の食事用エプロン。
【考案の詳細な説明】
【技術分野】
【０００１】
本考案は、乳幼児や要介護者が食事をする際、自己の衣類、床等が汚れるのを防ぐための食事用エプロンに関するものである。
【背景技術】
【０００２】
従来から食事用エプロンはよだれかけも含め考案されているものであるが、胸元の汚れを防ぐためだけのものが多く、またランチョンマット兼用のものは使用者の思いがけない動きによって、安定性をかくおそれのあるものが見受けられる。特許文献１は吸盤でエプロンをテーブルに固定させているが、テーブルの材質によっては吸着されなかったり、取れやすかったりする欠点がある。また特許文献２は食べこぼしがエプロンから落ちないようエプロン両側にタックを入れているが、タックの中に飯粒などの小さな食べこぼしが入ると取り除くのが難しいなど、後始末がやっかいである。それらの短所を防ぐ為に考案したものである。
【先行技術文献】
【特許文献】
【０００３】
【特許文献１】特開２００６−１３８０５７号公報
【特許文献２】特開２０１０−３１４５２号公報
【考案の概要】
【考案が解決しようとする課題】
【０００４】
一人で食事をしたがる乳幼児や要介護者は手元がおぼつかないため、胸元だけでなく、器からこぼれるもの、口元に運んでくるまでにこぼれるもの等、食べこぼし・取りこぼしが多くまた広範囲に及ぶため、それらを防ぐ目的で考案したものである。
【課題を解決するための手段】
【０００５】
本考案である食事用エプロンは、よだれかけ本体部の身頃部分の下部を延長し、すそ部分を裏側に折り返し、脇を結合して袋状にし、袋状部分にトレイ付きチェアーのトレイ部または平板状のトレイを差し込み、トレイとエプロンが一体化出来るようにした事を特徴とする。また、本考案の食事用エプロンは前記袋状部分に前記トレイ部またはトレイを差し込んだ時に前記身頃部分の略中央に前記トレイ部またはトレイの位置より下方に垂れ下がるゆとり部を設けた事を特徴とする。
【考案の効果】
【０００６】
食べこぼし等による洋服や床が汚れることを気にせず、のびのびと食事をさせることができるようになる。食事後の後始末は固形物を取り除いた後、エプロンを洗濯するだけでよく、干してもエプロンが平面であるため渇きが早い。またエプロンでトレイを覆うので、トレイが汚れる事は殆んどなく、トレイを拭く等の作業が軽減されるため、介助者のストレスも軽減されるものと考える。乳幼児の場合はトレイ付チェアーが市販されており、トレイとチェアーを結びつけるベルトが付いているなど安全面に配慮されているので、それを利用してエプロンの袋部分をトレイにかぶせるような形状でトレイを差し込み使用すれば、固定され安定性において最適である。またテーブル上で使用する場合は袋部分に平板状のトレイを差し込んで使用する。トレイ付きチェアーを利用した場合と比較すると安定性はやや劣るものの「汚れをふせぐ」という当初の目的は達成できるものである。
【図面の簡単な説明】
【０００７】
【図１】本考案食事用エプロン正面図
【図２】本考案食事用エプロン裏面図
【図３】乳幼児用トレイ付きチェアーを利用した場合の側面図
【図４】テーブル上で使用した場合の側面図
【考案を実施するための形態】
【０００８】
図１に示すように、よだれかけ本体部１の身頃部分の下部を延長し、いすに腰掛けた際のゆとり部分２を作る。ゆとり部分はトレイの位置より下方に垂れ下がる程の長さとし、食べこぼしを受ける部分とする。すそ幅は市販の平板状のトレイまたはトレイ付きチェアーのトレイ部の幅に合わせ、上部よだれかけ本体部１と自然につながるよう形作る。図２のように、すそ部分の布を裏側に折り返し、縫い合わせる・ボタン止め・ひもで結ぶ等の手段を用いて脇を結合し、袋状のトレイ差し込み部３を作る。トレイの厚みがあればマチを取るが、厚みが薄い場合にはマチはなくてもよい。図３は例として乳幼児用に市販されているトレイ付きチェアーを使用した場合を示しており、袋状になった部分をトレイにかぶせるような形状でトレイに差し込み、よだれかけ本体部１を使用者に装着する。図４は例として大人に使用した場合を示しているが、テーブル上では袋状部分に平板状のトレイ４を差し込み使用する。図３、図４、どちらの使用方法にしても、トレイから使用者の胸元まで隙間がなくなり、広範囲の食べこぼし・取りこぼしによる汚れを防ぐことが出来る。
【符号の説明】
【０００９】
１  よだれかけ本体部
２  ゆとり部
３  トレイ差し込み部
４  トレイ
【図１】
0003174741.tif 000003
【図２】
0003174741.tif 000004
【図３】
0003174741.tif 000005
【図４】
0003174741.tif 000006
(57)【要約】      （修正有）【課題】筆を鉛筆持ちで持っても筆先が紙面に垂直に立つよう、筆先と筆軸の間に角度を持たせて曲げた筆を提供する。【解決手段】筆の筆軸を切断して再び接着して筆先との間に角度をつける。筆ペンでは筆先のすぐ上で曲げて成形する。曲がり部分の後方で従来どおりのインクカートリッジとジョイントして持ち手とする。曲がった筆や筆ペンを鉛筆のように持って手首を紙面に載せると、穂先は自然に垂直に紙面に対して立ち、手首は紙面に軽く乗って安定し、あたかもペン字のように筆が書け使える。【選択図】図１
0003174787.tif 000002
【実用新案登録請求の範囲】
【請求項１】
筆先を持ち手に対して曲げた筆および筆ペン
【考案の詳細な説明】
【技術分野】
【０００１】
毛筆、絵筆および筆ペン
【背景技術】
【０００２】
書道筆、絵画筆および万年筆ペン
【先行技術文献】
【特許文献】
【０００３】
【特許文献１】2008-265126 指先で操作できる筆ペン
【考案の概要】
【考案が解決しようとする課題】
【０００４】
筆は手首を浮かして筆を立てて持たなくてはならない。初心者の使用では鉛筆やボールペンのように持ってしまうため、筆先が寝て自由に筆先が動かないため書きにくい。上質の筆や筆ペンでも穂先が紙面に垂直に立たなければ使いにくい。今までの筆では筆先を立てて筆を持つと、手首が台から離れて不安定になるので書きにくかった
【課題を解決するための手段】
【０００５】
筆を鉛筆のように握っても自然に筆先が紙面に垂直に向くように、筆軸と穂先の間を初めから曲げた筆にする。曲がった筆や筆ペンを鉛筆のように持って手首を紙面に載せると、筆先は垂直に紙面に対して立ち、手首を紙面に載せるので安定してペン字のように毛筆が使える。
【考案の効果】
【０００６】
曲がった筆や筆ペンを鉛筆のように持って手首を紙面に載せると、穂先は自然に垂直に紙面に対して立ち、手首は紙面に軽く乗って安定し、あたかもペン字のように筆が書け使える。
【図面の簡単な説明】
【０００７】
【図１】図１  曲がった筆ペン
【図２】図２  曲がった筆の持ち方
【考案を実施するための形態】
【０００８】
筆の筆軸を切断して再び接着して筆先との間に角度をつける。筆ペンでは筆先のすぐ上で曲げて成形する。曲がり部分の後方で従来どおりのインクカートリッジとジョイントして持ち手とする。
【産業上の利用可能性】
【０００９】
従来の筆や筆ペンの形態の一部変更でペンや鉛筆のように使えるようになる。年賀状執筆や芳名録やのし袋の署名をペン字のように書くことができる。筆が身近になって自由度が向上し、書道ばかりでなく絵画なども含めて新しい需要が期待できる。
【図１】
0003174787.tif 000003
【図２】
0003174787.tif 000004
(57)【要約】      （修正有）【課題】傘を降雨時に使用する際に、不要となった傘ケースを収納するポケットを備えた傘を提供する。【解決手段】下端に握柄を有する主軸と、この主軸の上端に結束保持されると共に、放射状に開脚する親骨と、この親骨４に張設される傘布５と、更にこの傘布の裏面側に傘ケースを収納するポケット部６とを備える。ポケット部素材には特に限定される物ではないが、傘布と同生地、メッシュ生地、透明ビニールなどが素材に適している。また、ポケット開口部に面ファスナー、ホック等の封止具を取付けることで、開口部から中の物品が飛び出すのを防ぐ、又はゴム紐等の伸縮性素材のものを縫いつけることで、開口部が伸縮し物品の出し入れが容易になり、開口部を引絞る効果も備える。【選択図】図２
0003174791.tif 000002
【実用新案登録請求の範囲】
【請求項１】
下端に握柄を有する主軸と、この主軸の上端に結束保持されると共に、放射状に開脚する親骨と、この親骨に張設される傘布とよりなる傘において、前記傘布の裏側面に傘ケース収納用ポケットを備えたことを特徴とする傘。
【請求項２】
前記ポケットは、傘布と同生地で形成したことを特徴とした請求項１記載の傘。
【請求項３】
前記ポケットは、メッシュ生地、パンチングシート等の通気性素材にて形成したことを特徴とした請求項１記載の傘。
【請求項４】
前記ポケットは、開口部に面ファスナー、ホック、ゴム紐などの封止具を設けたことを特微とした請求項１〜３の何れか１記載の傘。
【考案の詳細な説明】
【技術分野】
【０００１】
本考案は傘を降雨時に使用する際に、不要となった傘ケースを収納するポケットを備えた傘に関する。
【背景技術】
【０００２】
一般的に、乗物への雨に濡れた傘の持込み、更には建屋への入室時には、濡れた傘を閉じた状態にて所持することから、周囲の方への配慮が不可欠となる。
【０００３】
そこで、濡れた傘を傘ケースに収納し携行することが理想的な行動となるが、再び建屋や車などから外出時に不要となった傘ケースの保管場所としては、バックやポケットなどに収納することとなるが、傘ケースが濡れている為に、ナイロン袋に一旦入れてからバックに収納しなければならず手間が掛かる動作となる。
【先行技術文献】
【特許文献】
【０００４】
【特許文献１】特開２００５−３１２８５９号
【考案の概要】
【考案が解決しようとする課題】
【０００５】
本考案が解決しようとする問題点は、使用後に閉じたままの状態で携行しなければならない傘の表面は濡れたままとなっており、周囲の人や商品などを濡らしてしまうことであり、又電車の床や階段を濡らし滑りやすく危険な状態になることの課題である。
【０００６】
特に、傘ケースに収納することで上記問題点は回避することができるが、再び傘を差す際に、濡れた傘ケースの保管場所に困る点であり、カバンやポケットに傘ケースを収納する場合も、一旦ナイロン袋に入れてから収納しなければならず手間の掛かる動作が伴い、再び、傘を閉じて傘ケースに収納する場合にも同様の手間が掛かる動作になる。
【課題を解決するための手段】
【０００７】
この問題点を解決するために本考案は、下端に握柄を有する主軸と、この主軸の上端に結束保持されると共に、放射状に開脚する親骨と、この親骨に張設される傘布と、更にこの傘布の裏面側に傘ケースを収納するポケット部とを備えた事を特徴とするものである。
【０００８】
本考案は更に、ポケット部素材には特に限定される物ではないが、傘布と同生地、メッシュ生地、透明ビニールなどが素材に適している。
【０００９】
又本考案は、ポケット開口部に面ファスナー、ホック等の封止具を取付けることで、開口部から中の物品が飛び出すのを防ぐ、又はゴム紐等の伸縮性素材のものを縫いつけることで、開口部が伸縮し物品の出し入れが容易になり、開口部を引絞る効果も備えたことを特徴とするものである。
【考案の効果】
【００１０】
（１）請求項１により、傘布裏側面にポッケト部を設けることで、素早く傘ケースの出し入れが可能になり、又傘ケース以外にも小物をポケットに収納することもでき、手ぶらでの外出時にも便利である。    
【００１１】
（２）請求項２により、傘布とポケット部を同生地で形成することで傘布裏側面の統一感があり、見た目にも違和感を無くすことができる。
【００１２】
（３）請求項３により、ポケット部材質をメッシュ生地、パンチングシート等で形成することで、ポケット内の蒸れや水滴の残留を防ぎ、生地を通してポケット内の物品確認ができる。
【００１３】
（４）請求項４により、ポケット開口部に面ファスナー、ホック等の封止具を付けることで、ポケット部内の品物が外に飛び出すことを防ぐ効果があり、又ゴムなどの伸縮性素材を縫い付けた場合には、開口部が伸縮し物品の出し入れが容易になり引絞る効果もある。
【考案を実施するための形態】
【００１４】
以下本考案を実施例として掲げた図面に基づいて説明すると、図１は傘全体を示す斜視図であって、傘本体１は主軸２の下端に握柄３を有し、更に上端には多数の親骨４を放射状に開脚する                                
様に結束保持している。この多数の親骨４には傘布５が張られており、その傘布５の裏側面５aには傘ケース９を収納するポケット部６を備えている。
而して、ここでいう傘布５、更にポケット部６は、繊維布だけを指すのではなく、薄膜状の合成樹脂、例えばナイロン樹脂も含むのは当然であり、なんら限定するものではない。
【００１５】
具体的には、図２に示すようにポケット部６は、メッシュ生地７、パンチングシート等の通気性素材にて形成することによって、ポケット部６内の蒸れや水滴の残留を防いでいる。
さらにポケット部６には傘ケース９に限らず、例えば硬貨、地図、ハンカチ等の小物の保管場所としても利便性があり、メッシュ生地７を通してポケット内の物品の確認ができる。
【００１６】
又、図３は傘布５と共に、生地８でポッケト部６を設けた例であって、傘布５と共生地８にてポケット部６を構成している為、傘布裏側面のポケット部６が目立たず統一感がある。
【００１７】
更に、図４に示すように、ポケット部６に収納した傘ケース９が開口部６aから飛び出さない様に開口部６aに封止具を設けて塞いでいる。
この封止具は、図４においては、ホック１０としているが、開閉手段はこれにこだわるものではなく、面ファスナー、ゴム紐等を縫付けてもよい。
【図面の簡単な説明】
【００１８】
【図１】本考案にかかる傘の斜視図
【図２】ポケットをメッシュ生地で形成した場合の斜視図
【図３】ポケットを傘布と共生地で形成した場合の斜視図
【図４】ポケット開口部に封止具を付けた斜視図
【図５】ポケットの中に折り畳んだ傘ケースが収納された状態での図１A―A´の断面図。
【符号の説明】
【００１９】
１    傘本体
２    主軸
３    握柄
４    親骨
５    傘布
５a  傘布裏側面
６    ポケット部
７    メッシュ生地
８    傘布と共生地
９    傘ケース
１０  ホック
１１  生地の模様  
１２  石突き
【図１】
0003174791.tif 000003
【図２】
0003174791.tif 000004
【図３】
0003174791.tif 000005
【図４】
0003174791.tif 000006
【図５】
0003174791.tif 000007
(57)【要約】      （修正有）【課題】靴下のかかと部分で充分なホールド効果を得て、靴下の着用時に、靴下のずれ、抜けを確実に防止する靴下を提供する。【解決手段】靴下１において、かかと２の両側面に、かかと上部からくるぶしの位置へ向かう第１のゴア線３と、第１のゴア線３の下のかかとの位置からくるぶしの位置へ向かう第２のゴア線４とをそれぞれ独立に形成するとともに、かかと上部の後ろ面に対応する位置に弾性糸を挿入して弾性サポート５を編成する。【選択図】図１
0003174795.tif 000002
【実用新案登録請求の範囲】
【請求項１】
かかとの両側面に、かかと上部からくるぶしの位置へ向かう第１のゴア線と、第１のゴア線の下のかかとの位置からくるぶしの位置へ向かう第２のゴア線とをそれぞれ独立に形成することを特徴とする靴下。
【請求項２】
かかと上部の後ろ面に対応する位置に弾性糸を挿入して、ずり下がり防止用の弾性サポートを編成することを特徴とする請求項１記載の靴下。
【考案の詳細な説明】
【技術分野】
【０００１】
本考案は、靴下のかかと部分の改良に関する。
【背景技術】
【０００２】
靴下のかかと部分は、通常、１つのゴア線によって編成される。そのような靴下では、かかとを包み込む充分なホールド効果が得られず、靴下の着用時に、靴下のずれ、抜けが起きやすい。
【０００３】
例えば特許文献１は、靴下の着用時に、靴下のずれ、抜けを防止するために、かかと部分にＹ字状のゴア線を形成することを開示している。Ｙ字状のゴア線は、かかと部分を直角に編成するときに有効であるが、かかと部分でのホールド効果は、充分と言えず、しかもゴア線の交差位置で編み組織は、無理な伸びのために糸切れを起こしやすくなる。
【０００４】
また特許文献２は、かかと部分に２本のゴア線を独立に形成することを開示している。しかし、その技術によると、かかと部分の編成工程が複雑になり、特に、かかとの周辺部分の包み込みが弱くなり、かかとのずれが起きやすい。
【先行技術文献】
【特許文献】
【０００５】
【特許文献１】特開平１０−１６８６０５公報
【特許文献２】特開２００１−１６４４０５公報
【考案の概要】
【考案が解決しようとする課題】
【０００６】
したがって、本考案の課題は、靴下のかかと部分で充分なホールド効果を得て、靴下の着用時に、靴下のずれ、抜けを確実に防止することである。
【課題を解決するための手段】
【０００７】
上記の課題のもとに、本考案は、靴下において、かかとの両側面に、かかと上部からくるぶしの位置へ向かう第１のゴア線と、第１のゴア線の下のかかとの位置からくるぶしの位置へ向かう第２のゴア線とをそれぞれ独立に形成している（請求項１）。
【０００８】
特に、本考案は、上記の靴下において、かかと上部の後ろ面に対応する位置に弾性糸を挿入して、ずり下がり防止用の弾性サポートを編成している（請求項２）。
【考案の効果】
【０００９】
本考案の靴下によると、かかとの両側面に、第１のゴア線および第２のゴア線が形成されているから、靴下のかかと部分で包み込み面積が増え、充分なホールド効果によって着用時の靴下のずれ、抜けが防止でき、しかも、第１のゴア線および第２のゴア線が独立していて、くるぶしに対応位置で直接交差していないから、第１のゴア線と第２のゴア線との接近部分での編み糸や網目の強い伸びがなくなり、部分的な糸切れによる破れが少なくなる（請求項１）。
【００１０】
第１のゴア線の上部で、かかと上部後ろ面に対応する位置に、ゴム糸またはスパンデックス弾性糸などの弾性糸を挿入して、弾性サポートを編成しているから、弾性サポートがかかと上部から下降してかかとの後ろの足底へ移動しにくくなり、この結果、ホールド効果が高まり、着用時の靴下のずれ、抜け、ずり下がりやずり落ちが確実に防止できる（請求項２）。
【図面の簡単な説明】
【００１１】
【図１】本考案に係る靴下の側面図である。
【考案を実施するための最良の形態】
【００１２】
図１は、本考案に係る靴下１として丈の短いソックスいわゆるスニーカソックスを示している。
【００１３】
靴下１は、丸編み機によって、従来通り、はき口部（ゴム部）、脚部、かかと部、甲・底部、爪先部の順に編成される。編成工程において、かかと２の両側面に、かかと２の上部からくるぶしの位置へ向かう第１のゴア線３と、第１のゴア線３の下のかかとの位置からくるぶしの位置へ向かう第２のゴア線４とがくるぶしの位置でそれぞれ独立に形成される。第１のゴア線３および第２のゴア線４は、内くるぶしに対応して靴下１の内側面、外くるぶしに対応して靴下１の外側面にそれぞれ形成される。
【００１４】
かかと２の編成は、編成過程において、甲部編成用の半数の針をつき上げて不作動の状態とし、身編み編成時の針筒の全回転を往復半回転運動に変え、１往復ごとに動作針を両端で１本ずつ針上げして減らし、全針数の１／６程度まで減ったときに、今度は逆に１往復ごとに動作針を両端で１本ずつ針下げにより動作位置に戻し、もとの針数の状態として行われる。
【００１５】
このように、かかと２の編み立てにより、針上げ、針下げの位置にそって第１のゴア線３が形成され、この後に、数回（数コース）の身編み編成に続いて、第２のゴア線４が形成される。この数回（数コース）の身編み編成によって、第１のゴア線３と第２のゴア線４とは、くるぶしの位置で交差しないようにそれぞれ独立に形成される。
【００１６】
特に、本考案は、上記の靴下１の編成工程において、かかと２の上部の後ろ面に対応する位置に、すなわち第１のゴア線３の形成前に、スニーカソックスの口ゴムと第１のゴア線３との間に、地糸に弾性糸を挿入して、弾性サポート５を編成している。このため、弾性サポート５は、かかと２の後ろから内側面および外側面に張り出すように帯び状に形成される。
【００１７】
このように、かかと２の両側面に、第１のゴア線および第２のゴア線が形成されているから、靴下のかかと部分で包み込み面積が得られ、充分なホールド効果によって着用時の靴下１のずれ、抜けが防止でき、しかも、第１のゴア線３および第２のゴア線４が独立していて、くるぶしに対応位置で交差していないから、第１のゴア線３と第２のゴア線４との接近部分での網目の強い伸びがなくなり、部分的な糸切れによる破れが少なくなる。
【００１８】
また、第１のゴア線３の上部で、かかと２の上部後ろ面に対応する位置に、ゴム糸またはスパンデックス弾性糸などの弾性糸により弾性サポート５を編成しているから、弾性サポート５がかかと上部から下降してかかとの後ろの足底へ移動しにくくなり、この結果、ホールド効果が高まり、着用時の靴下１のずれ、抜け、ずり落ちが確実に防止できる。
【産業上の利用可能性】
【００１９】
本考案は、スニーカソックスに限らず、普通ソックス、ハイソックス、その他のすべての種類の靴下に利用できる。
【符号の説明】
【００２０】
１  靴下
２  かかと
３  第１のゴア線
４  第２のゴア線
５  弾性サボート
【図１】
0003174795.tif 000003
(57)【要約】      （修正有）【課題】内面にポケット様構造を接着することにより独立した充填材を詰めることを可能にした抱き枕カバーを提供する。【解決手段】抱き枕カバー内面の一部にポケット様構造を接着することにより独立した充填材の充填を可能にし、これにより抱き枕表面に起伏の表現を可能にしたものである。充填材にはシリコン、ゲル、スポンジ、クッションビーズ、綿やこれらを布などで包んだ部品などが利用できる。【選択図】図１
0003174713.tif 000002
【実用新案登録請求の範囲】
【請求項１】
内面にポケット様構造を糊付けし、ポケット内部に独立した充填材を充填することのできる抱き枕カバー。
【考案の詳細な説明】
【技術分野】
【０００１】  本考案は、抱き枕のカバーに関するものである。
【背景技術】
【０００２】  通常の枕より長大な大きさを持ち、就寝時に抱くことによって全身を預託することのできる抱き枕に被せ、外面を覆う布製の抱き枕カバーが存在する。これらは表面に印刷等で意匠を施すことが可能である。
【考案の概要】
【考案が解決しようとする課題】
【０００３】  布製抱き枕カバーは使用生地の断裁形状、縫製によりその外形を変更することが可能である。しかし一般的な抱き枕本体は長方形をしており、抱き枕カバーの外形変更のみでは抱き枕の内部に詰められた充填材がカバーの末端部まで行き渡らない。【０００４】  抱き枕カバー表面には印刷などで意匠を施すことが可能であるが、意匠に伴う形状や表面の起伏を表現するため縫製によりカバーの外形に変化を与えると、縫製跡が表出し意匠を損なう。
【課題を解決するための手段】
【０００５】  本考案における抱き枕カバーは、抱き枕カバー内面にポケット様構造を接着剤で貼り付け、独立した充填材を別個にポケット様構造に詰めることにより一般的な長方形の抱き枕本体の形状を変更することなく抱き枕の形状変更や起伏の表現を行うことができる。【０００６】  充填材にはシリコン、ゲル、スポンジ、クッションビーズ、綿やこれらを布などで包んだ部品などが利用できる。
【考案の効果】
【０００７】  抱き枕本体の形状を変更することなく抱き枕カバーを被せた抱き枕の表面に起伏を表現できる。これにより特殊形状の抱き枕本体を作成することなく、一般に市販される抱き枕本体を流用し独自の起伏を表現した抱き枕を作成することができる。【０００８】  接着剤にて貼り付けられたポケット様構造に開口部を設けることにより、充填材の着脱が可能である。【０００９】  ポケット様構造は抱き枕カバー内側の任意の場所に取り付けることができる。【００１０】  抱き枕カバーはそのサイズを変更して製造することにより、任意のサイズの本体に対応することができる。
【実施例】
【００１１】  以下、添付図面に従って一実施例を説明する。１は本体、２はポケット、３は充填部材である。
【図面の簡単な説明】
【００１２】
【図１】本考案の内面一部にポケットを貼り付けた抱き枕カバーの正面図である。
【図２】本考案の抱き枕カバーへポケットを取り付け様子を示した図である。
【図３】本考案の抱き枕カバーのポケット内に充填材を入れている様子を示した図である。
【符号の説明】
【００１３】１    本体
２    ポケット
３    充填部材
【図１】
0003174713.tif 000003
【図２】
0003174713.tif 000004
【図３】
0003174713.tif 000005
(57)【要約】      （修正有）【課題】握り部に対しはさみの刃部の先端部を直角あるいは略直角方向に湾曲させり事により、高所作業である果樹の剪定作業や摘果（摘花）作業等が容易になり、特に枝から垂下している果実や花あるいは枝の剪定が容易になり、健康にも良く作業効率の向上をはかることが出来る剪定はさみを提供する。【解決手段】それぞれ一方端に刃部を設け、他方に握り部を設けた一対の刃板の中間部に枢軸を設けて開閉出来るようにしたはさみにおいて、上記枢軸から刃の先端部までを直線刃部とこれに連続する半径５０ｍｍから半径１００ｍｍ程度に湾曲させた湾曲刃部３−２，４−２で構成する。さらに、この湾曲刃部の先端部を直線刃部に対して直角あるいは略直角方向に形成させて該剪定はさみを形成する。【選択図】図３
0003174720.tif 000002
【実用新案登録請求の範囲】
【請求項１】
それぞれ一方端に刃部を設け、他方に握り部を設けた一対の刃板の中間部に枢軸を設けて開閉出来るようにしたはさみにおいて、上記枢軸から刃の先端部までを直線刃部とこれに連続する湾曲させた湾曲させた湾曲刃部で構成し、この湾曲刃部の先端部を直線刃部に対して直角あるいは略直角方向に形成させたことを特徴とするはさみ。
【考案の詳細な説明】
【技術分野】
【０００１】  本考案は、はさみの刃先部を直線と湾曲部で構成した果樹栽培及び園芸等での剪定作業や摘果（摘花）作業に於ける枝や果軸を切り易くし、肩・腕・指等の負担を軽減させ、作業効率を良くした剪定・摘果（摘花）はさみに関するものである。
【背景技術】
【０００２】  従来使用されている剪定鋏や摘果鋏は鋼製やステンレス製のものであるが、いずれも２枚のはさみ用刃板の両刃を直線で合わせ、中間部に枢軸を設け開閉できるようになされている。
【先行技術文献】
【技術文献】
【０００３】
【技術文献１】
特開平１１−３１３９９０号公報
【考案の概要】
【考案が解決しようとする課題】
【０００４】  この種の従来のはさみは刃の中間部に枢軸を設け、その刃先が直線である為に、高所作業が余儀なくされる果樹栽培等に於いては、腕や手を常に肩より上に上げての作業であり、筋肉痛や腱鞘炎になることが多かった。変形はさみとして、上記技術文献１の特開平１１−３１３９９０に示されたものがあるが、枢軸より先端部に関しては角度をつけ屈曲させてはいるが、直線である為、主に卓上にての厚紙やプラスチックシートを切る目的のものである。【０００５】  本考案は、上記の問題点を解消する為になされたもので、握り部と刃部を有する一対のはさみ用刃板の中間部に枢軸を設け、枢軸より所望寸法だけ直線にし、その先を先端部まで湾曲させ、刃の先端部を直線刃部に対し直角あるいは略直角方向にすることにより、腕や手をあまり上げずに作業が出来るはさみを得ることを目的とする。
【課題を解決するための手段】
【０００６】  前記目的は、それぞれ一方端に刃部を設け、他方に握り部を設けた一対の刃板の中間部に枢軸を設けて開閉出来るようにしたはさみにおいて、上記枢軸から刃の先端部までを直線刃部とこれに連続する湾曲させた湾曲刃部で構成し、この湾曲刃部の先端部を直線刃部に対して直角あるいは略直角方向に形成させたことを特徴とするはさみによって達成される。
【考案の効果】
【０００７】  果樹栽培や園芸に於ける剪定・摘果（摘花）作業は高所での作業であり、腕や手を上げたままで１日数百から数千回も使用する為、筋肉痛や腱鞘炎になり易く作業効率も良くなかったが、本考案によるはさみは、従来のものより腕や手を上げずに効率よく正確な作業が可能なので、健康にも良く作業効率の向上にも効果を有する。
【図面の簡単な説明】
【０００８】
【図１】本考案のはさみを示す開の状態の正面図。
【図２】図１の閉の状態の正面図。
【図３】図１の閉の状態の側面図。
【考案を実施するための形態】
【０００９】  本考案の実施の形態を図面を参照して説明する。
図１において、１は一方のはさみ用刃板で、刃部３と握り部７を有している。２は他方のはさみ用刃板で、刃部４と握り部８を有する。両方のはさみ用刃板１と２を合わせ、中間部に枢軸５を設けて開閉出来るように構成されている。
【００１０】  図２において、上記のように構成された一対のはさみ用刃板１，２の中間部に枢軸５を設け開閉出来るようにしたものにおいて、はさみの開閉を楽にするため、刃板１と２間にトーションバネ６を付け、使用後は安全に保管出来る様、握り部の端部にストッパー９を設けた。
【００１１】  図３において、刃部３及び４を枢軸５から１０ｍｍ程度を直線刃部３−１，４−１とし、その先を刃の先端部までＲ５０からＲ１００程度に曲げた湾曲刃部３−２，４−２で形成されている。
【００１２】  この考案による刃部３，４を直線刃部３−１，４−１と湾曲刃部４−１，４−２で構成したはさみは、握り部７，８に対し刃部３，４の先端部が直角あるいは略直角方向に湾曲している為、高所作業である果樹の剪定作業や摘果（摘花）作業等が容易になり、特に枝から垂下している果実や花あるいは枝の剪定が容易になり、健康にも良く作業効率の向上をはかることが出来る。
【符号の説明】
【００１３】１      一方のはさみ用刃板
２      他方のはさみ用刃板
３      刃部
３−１  直線刃部
３−２  湾曲刃部
４      刃部
４−１  直線刃部
４−２  湾曲刃部
５      枢軸
６      トーションバネ
７      握り部
８      握り部
９      ストッパー
【図１】
0003174720.tif 000003
【図２】
0003174720.tif 000004
【図３】
0003174720.tif 000005
(57)【要約】      （修正有）【課題】丈の長さを調節する構造を持たせることによって、多様なユーザーの必要性及び用途、状況に対応できる和装用肌着を提供する。【解決手段】着物、浴衣等和装品の着付け時に着用することを目的とした肌着１において、腰部両側面にそれぞれの丈の長さを調節する丈調節部３をそなえる。各丈調節部は上半身部と下半身部の縫製部２−３において縫製固定され垂れ下げられた二本の紐と、紐通し筒部によって構成される。使用時にそれぞれの丈調節部において二本の紐の下部をもち、紐通し筒部と下半身部を上に手繰り寄せ二本の紐を結び固定することによって下半身部の丈の長さを調節できるように構成されている。着用前もしくは着用後でも簡単に調整でき、また任意の長さに調整することが可能となる。【選択図】図１
0003174711.tif 000002
【実用新案登録請求の範囲】
【請求項１】
着物、浴衣等和装品の着付け時に着用することを目的とした肌着において、肌着上半身部と着用者の腰から足首あたりまでをおおう筒状の下半身部とを縫製固定されることによって構成された肌着本体の下半身部における腰部両側面に、それぞれの丈の長さを調節する丈調節部をそなえ、各丈調節部は上半身部と下半身部の縫製部において縫製固定され垂れ下げられた二本の紐と、その二本の紐を個別に覆い紐の下端部を露出させた状態で側部と上部を下半身部に縫製固定された紐通し筒部によって構成され、使用時にそれぞれの丈調節部において二本の紐の下部をもち、紐通し筒部と下半身部を上に手繰り寄せ二本の紐を結び固定することによって下半身部の丈の長さを調節できるように構成したことを特徴とする丈長さ調節機能付き和装用肌着。
【考案の詳細な説明】
【技術分野】
【０００１】本考案は、丈長さ調節機能付き和装用肌着に関するものである。
【背景技術】
【０００２】一般的な和装用肌着は、裾丈の長さを調節する機能が付いていないため、着付け時の必要性によって裾丈の長さを調節することができず、不便さを感じさせることがあったり、サイズの違うものを複数枚数をそろえる必要性があった。
販売店においては、数多くのサイズを取りそろえる必要があり、在庫数量が多くなってしまう問題点もある。
【考案の概要】
【考案が解決しようとする課題】
【０００３】従来の丈の長さの調節機能のない和装肌着では、それぞれのユーザーおよび用途、状況に合わせた丈の調整が行えないので、簡単に丈の長さを調節できる機能を付加することにより応用性を持たせる。そのことによっていろいろなサイズを必要していたという煩わしさを解消し、無駄を省く。
【課題を解決するための手段】
【０００４】本考案は着物、浴衣等和装品の着付け時に着用することを目的とした肌着において、肌着上半身部と着用者の腰から足首あたりまでをおおう筒状の下半身部とを縫製固定されることによって構成された肌着本体の下半身部における腰部両側面に、それぞれの丈の長さを調節する丈調節部をそなえる。
各丈調節部は上半身部と下半身部の縫製部において縫製固定され垂れ下げられた二本の紐と、その二本の紐を個別に覆い紐の下端部を露出させた状態で側部と上部を下半身部に縫製固定された紐通し筒部によって構成される。
使用時にそれぞれの丈調節部において二本の紐の下部をもち、紐通し筒部と下半身部を上に手繰り寄せ二本の紐を結び固定することによって下半身部の丈の長さを調節できるように構成されている。
着用前もしくは着用後でも簡単に調整でき、また任意の長さに調整することが可能となる。
【考案の効果】
【０００５】上述の様に、本考案の丈長さ調節機能付き和装用肌着は、簡単に長さが任意に調節できることで、着用時のケースに応じた対応が可能となる。
金属部品やボタン等の付属品を使用しないので、着心地、使用感に与える不快感を最小限に抑え、洗濯やアイロンがけなどの取り扱いに対しても簡単である。
また、プラスチック製のパーツなどは容易に破損することも考えられるが、そういう心配もない。
適切な紐通し筒部の太さと使用素材により、紐通し筒部中の紐がずれたり下半身部の両腰部の生地が束になることを極力抑えるように設計されており、着用時のストレスを最小限に抑えることができる。
【図面の簡単な説明】
【０００６】
【図１】本考案の全体図である。
【図２】本考案品の全体側面図である。
【図３】本考案品の構造図である。
【図４】本考案品の使用時の構造図である。
【図５】本考案品の使用時の構造図である。
【考案を実施する為の形態】
【０００７】以下、添付図面にしたがって一実施例を説明する。
１は着物、浴衣等和装品着用時に使用する肌着であり、本体上半身部２−１と下半身部２−２とで構成されている。
上半身部２−１と下半身部２−２の縫製部２−３に丈調整紐３−１を２本挟み込み縫製固定し、それぞれを丈調整紐通し筒部３−２によって丈調整紐の下部のみ露出させた状態で覆いかぶせるように縫製固定させる。
丈調整の手順は丈調整紐をもち、丈調整紐通しと下半身部を上に手繰り上げ丈の長さを任意の長さに調節できた位置で、丈調節紐を結び留めることにより丈調節部の収縮を固定させ丈の長さを調節する。
【符号の説明】
【０００８】１  肌着
２  本体
２−１  上半身部
２−２  下半身部
２−３  上半身と下半身の縫製固定部
２−４  下半身部側面縫製部
３  丈調整部
３−１  丈調整紐
３−２  丈調整紐通し筒部
【図１】
0003174711.tif 000003
【図２】
0003174711.tif 000004
【図３】
0003174711.tif 000005
【図４】
0003174711.tif 000006
【図５】
0003174711.tif 000007
(57)【要約】      （修正有）【課題】筆記時にしんのぶれないノック式多色ボールペンを提供する。【解決手段】ノック式多色ボールペンの本体内部先端部に弾性体ブッシュを設けることにより筆記時にしんをブッシの中心に設けた穴に密着、固定させしんのぶれをなくしスムーズな筆記を可能にしたものである。ボールペンをノックするとしんが飛び出し本体内部に設けた弾性体ブッシの中心にある穴にしんが密着固定される。【選択図】図２
0003174715.tif 000002
【実用新案登録請求の範囲】
【請求項１】
ボールペン本体内部の先端部に弾性体のブッシュを設けたことを特徴とするボールペン。
【請求項２】
前記ブッシュは弾性体の中心にボールペンのしんが通る穴を設けたことを特徴とする請求項１に記載のボールペン。
【請求項３】
前記ブッシュの素材はゴム体とすることを特徴とする請求項１に記載のボールペン。
【考案の詳細な説明】
【技術分野】
【０００１】本考案は筆記時しんのぶれないノック式多色ボールペンに関するものである。
【背景技術】
【０００２】ノック式多色ボールペンは構造上ボールペン本体中心線に対してしんがノックの際ななめに出るため筆記時しんのぶれがあり筆記しずらい欠点があった。
【考案の概要】
【考案が解決しようとする課題】
【０００３】ノック式多色ボールペンは１本で色分けできて大変便利なものであるが構造上本体の中心線に対してしんがななめに出るために筆記時しんのぶれが生じスムーズに筆記しずらい欠点がありこの欠点を解決しようとするものである。
【課題を解決するための手段】
【０００４】本考案はノック式多色ボールペン本体内部先端部に弾性体によるブッシュを設けることによりノック時弾性体ブッシュの中心の穴にしんが密着してしんを固定させることにより筆記時のしんのぶれをなくしスムーズに筆記することができ上記の問題点を解決している。
【考案の効果】
【０００５】上述のように本考案のノック式多色ボールペンは従来のノック式多色ボールペンに較べボールペン本体内部先端部に弾性体によるブッシュを設けることによりノック時弾性体ブッシュに設けたしんの通る穴にしんが密着して、しんを固定し筆記時の不快なしんのぶれをなくしスムーズな筆記ができるものである。
【図面の簡単な説明】
【０００６】
【図１】本考案のノック式多色ボールペンの弾性体ブッシュの上面図、断面図である。
【図２】本考案のノック式多色ボールペンのしんオフの断面図である。
【図３】本考案のノック式多色ボールペンのしんオンの断面図である。
【本考案を実施するための形態】
【０００７】ノック式多色ボールペン本体内部先端部に本体内部に密着する弾性体ブッシュを設けてノック時にしんをブッシュの中心に設けた穴に密着させることにより筆記時のしんのぶれを防止することができる。
【実施例】
【０００８】以下添付図面に従って一実施例を説明する。
Ａはノック式多色ボールペン本体内部先端部に設けた弾性体ブッシュ。
Ｂは弾性体ブッシュ中心部にあるしんの通る穴。
図３のようにボールペンをノックするとしんが飛び出し本体内部に設けた弾性体ブッシの中心にある穴にしんが密着固定されて筆記時のしんのブレを防止しスムーズな筆記ができるものである。
【符号の説明】
【０００９】Ａ    多色ボールペン本体内部先端部に設けた弾性体ブッシ。
Ｂ    弾性体ブッシの中心部に設けたしんの通る穴。
Ｃ    ボールペン本体
Ｄ    ボールペンのしん
【図１】
0003174715.tif 000003
【図２】
0003174715.tif 000004
【図３】
0003174715.tif 000005
(57)【要約】      （修正有）【課題】シャツのポケットに入れたものが、前かがみになってもずり落ちないようにするポケット口の構造を提供する。【解決手段】マチを取り付けたポケットとマチのないポケットとを２重にして取り付ける。【選択図】図２
0003174704.tif 000002
【実用新案登録請求の範囲】
【請求項１】
シャツのポケットから携帯電話等がずり落ちない様にしたポケット口の構造
【考案の詳細な説明】
【技術分野】
【０００１】この考案はシャツのポケットを２重にして前かがみになってもポケットの物がずり落ちない。
【背景技術】
【０００２】シャツのポケット口に落下防止のマチを取り付けたポケットと従来のポケットとを２重にして取り付ける。
【考案が解決しようとする課題】
【０００３】シャツのポケットに重みのある携帯電話などを入れたまま前かがみになったとき携帯電話等の落下を防ぐポケット。
【考案の結果】
【０００４】この考案ではポケット口にマチの入ったポケットの方に携帯電話など重みのあるものを入れて前かがみになってもマチのところで引っ掛かり落下を防止する。
【図面の簡単な説明】
【０００５】
【図１】シャツのポケット
【図２】ポケットの拡大
【符号の説明】
【０００６】１０  シャツ
１１  ポケット
１２  マチ
【図１】
0003174704.tif 000003
【図２】
0003174704.tif 000004
【手続補正書】
【提出日】平成24年1月13日(2012.1.13)
【手続補正１】
【補正対象書類名】実用新案登録請求の範囲
【補正対象項目名】全文
【補正方法】変更
【補正の内容】
【実用新案登録請求の範囲】
【請求項１】
マチを取り付けたポケットとマチのないポケットとを２重にして取り付けたことを特徴とするポケット口の構造。
(57)【要約】【課題】油をこす時間を短縮し、こし網とこし紙の納まりを良くし、安心して油を注ぐ事ができるオイルポットを提供する。【解決手段】オイルポット本体のこし網部分とこし紙の中心を１ｃｍ程度下げ、逆円錐形状にし緩やかな勾配を付け、形を一定にする事を特徴とする。【選択図】図２
0003174706.tif 000002
【実用新案登録請求の範囲】
【請求項１】
オイルポット本体付属のこし網部分の中心を１ｃｍ程下げ逆円錐形状にし、緩やかな勾配をつけたオイルポットのこし網
【請求項２】
こし網部分に合う同じ形状のこし紙
【考案の詳細な説明】
【考案の詳細な説明】
【産業上の利用分野】
【００１】  この考案は、オイルポットに油はけを安全に早くするため、形状を生かして考案したこし網とこし紙に関するものである。
【背景技術】
【００２】従来品はオイルポットのこし網部分とこし紙は平らな平面であった。
【考案が解決しようとする課題】
【００３】これには次のような欠点があった。
（イ）油はけが悪く、ポットまで落ちる時間がかかりすぎる。
（ロ）油を注ぐのにペーパーの納まりが悪く、気を使う。
【課題を解決するための手段】
【００４】オイルポットのこし網部分を逆円錐形状にして作成し、又こし紙もこし網に重なるよう逆円錐形状に作成する。
【考案を実施するための形態】
【００５】（イ）こし網の部分とこし紙を中心から１ｃｍ程度下げ逆円錐形状にし、緩やかな勾配をつけ形を一定にする。
本考案は、こし網とこし紙を合わせて使用する。
【考案の効果】
【００６】これには次のような効果がある。
（イ）こし網とこし紙の形を一定にする事によりペーパーの納まりが良くなり、安心して油を注ぐことができる。
（ロ）油のはけが良くなりスムーズにポットに落ちる。
【図面の簡単な説明】
【図１】本考案のオイルポット本体の全体図である。
【図２】本考案の油こし網部分側面図である。
【図３】本考案の油こし網平面図である。
【図４】本考案の油こし紙側面図である。
【図５】本考案の油こし紙平面図である。
【符号の説明】１  容器本体
２  取っ手
３  こし網
４  こし網わく
５  フタ
６  ツマミ
【図１】
0003174706.tif 000003
【図２】
0003174706.tif 000004
【図３】
0003174706.tif 000005
【図４】
0003174706.tif 000006
【図５】
0003174706.tif 000007
【手続補正書】
【提出日】平成24年1月13日(2012.1.13)
【手続補正１】
【補正対象書類名】実用新案登録請求の範囲
【補正対象項目名】全文
【補正方法】変更
【補正の内容】
【実用新案登録請求の範囲】
【請求項１】
オイルポット本体付属のこし網部分の中心を１ｃｍ程下げ逆円錐形状にし、緩やかな勾配をつけたオイルポットのこし網
【請求項２】
請求項１に記載のこし網部分に合う同じ形状のこし紙